(57)【特許請求の範囲】
【請求項１】
箱部と蓋部とでなる筐体内部の収納空間部を外部環境から遮断密封するとき蓋部のパッキン取付用第１溝部と箱部のパッキン取付用第２溝部とで挟まれて変形した状態でパッキン取付用溝部の中に収納される筐体用パッキンであって、
前記筐体用パッキンの断面形状は、全体形状が略円形であってさらにこの略円形に対して凹部を２箇所に設けてパッキン取付用溝部の対向する２面にそれぞれの凹部を対向させる形状であり、２箇所の凹部の両側に突設する４個の突設部のうち２個の突設部が蓋部のパッキン取付用第１溝部内で接し、かつ、残りの２個の突設部が箱部のパッキン取付用第２溝部内で接するようにしたことを特徴とする筐体用パッキン。
【請求項２】
請求項１に記載の筐体用パッキンにおいて、
前記筐体用パッキンは、パッキン取付用溝部内で４個の突設部が接するとともに変形して円の外周部の２カ所でも当接して計６箇所で当接して封止することを特徴とする筐体用パッキン。
【請求項３】
箱部と蓋部とでなる筐体内部の収納空間部を外部環境から遮断密封するとき蓋部のパッキン取付用第１溝部と箱部のパッキン取付用第２溝部とで挟まれて変形した状態でパッキン取付用溝部の中に収納される筐体用パッキンであって、
前記筐体用パッキンの断面形状は、略円の外周部全面から、断面形状が略三角形状の突設部を複数突設させてなる形状であり、複数箇所の突設部がパッキン取付用溝部内で接するようにしたことを特徴とする筐体用パッキン。
【請求項４】
箱部と蓋部とでなる筐体内部の収納空間部を外部環境から遮断密封するとき蓋部のパッキン取付用第１溝部と箱部のパッキン取付用第２溝部とで挟まれて変形した状態でパッキン取付用溝部の中に収納される筐体用パッキンであって、
前記筐体用パッキンの断面形状は、略円の外周部全面から、断面形状が略半円形状の突設部を複数突設させてなる形状であり、複数箇所の突設部がパッキン取付用溝部内で接するようにしたことを特徴とする筐体用パッキン。
【発明の詳細な説明】
【０００１】
【発明の属する技術分野】
本発明は、筐体の気密性を高める筐体用パッキンに関する。
【０００２】
【従来の技術】
筐体用パッキンの従来例としてクロージャ用パッキンについて説明する。図６は、従来のクロージャ用パッキンを説明する側断面図であり、図６（ａ）は、蓋部の一例である蓋クロージャのパッキン取付用第１溝部と箱部の一例である箱クロージャのパッキン取付用第２溝部にクロージャ用パッキンを載置したときのクロージャ用パッキンの断面形状を示す側断面図、図６（ｂ）は、固定されたクロージャにおけるクロージャ用パッキンの断面形状を示す側断面図、図６（ｃ）は、凹部により気密が破られた状態を模式的に説明するための側断面図である。
【０００３】
クロージャ１０１は、蓋クロージャ１０１ａと箱クロージャ１０１ｂとをはめ合わせて構成される。そして蓋クロージャ１０１ａと箱クロージャ１０１ｂとを用いて密封するとき、図６（ａ）に示すように、蓋クロージャ１０１ａのパッキン取付用第１溝部１０２ａと箱クロージャ１０１ｂのパッキン取付用第２溝部１０２ｂとには、断面形状が略円形のクロージャ用パッキン１０３が載置された状態で密封される。
【０００４】
図６（ｂ）に示すように、蓋クロージャ１０１ａと箱クロージャ１０１ｂとを密封固定して形成されたクロージャ１０１のパッキン取付用溝部１０２において、クロージャ用パッキン１０３は、ａ点およびｂ点の２点で押圧されて、断面形状が略楕円形状に変形するとともに、ａ点およびｂ点の２個の接点で内外部から気体・液体・個体の移動を防ぐ。
【０００５】
このようにクロージャを密封する理由としては、架空または地中等の屋外に設置されるクロージャにおいて、外部から内部へ侵入する気体・液体・個体により通信ケーブルや接続部等が劣化することを防止するためと、絶縁等のためクロージャ内部に注入されたガスなどの流出を防止するためである。いずれにせよ、クロージャの防水・防滴・気密を保持する必要がある。以下、このようにクロージャの防水・防滴・気密を保持する性能を気密性として説明する。
【０００６】
【発明が解決しようとする課題】
クロージャの気密性を維持することは重要であるが、気密性を維持できない場合があった。例えば、図６（ｃ）に示すように、パッキン取付用第１溝部１０２ａまたはパッキン取付用第２溝部１０２ｂにおいて、傷などである微細な凹部１０４や、プラスティック成形時に生じたバリなどである図示しない微細な凸部により、ａ点またはｂ点でクロージャ用パッキン１０３の押圧が充分にできず、気密が破られることがあった。このような問題はクロージャに限ることなく、各種筐体において共通の問題点でもあった。
【０００７】
本発明は、上記問題点を解決するためになされたものであり、筐体に設けられたパッキン取付用溝部と筐体用パッキンとの接点を多くすることで、微細な凹凸部を回避するようにし、あるいは、微細な凹凸部によりある接点で密封が破られたとしても他の接点で気密を維持するようにし、その結果筐体内の収納部の気密性を高める筐体用パッキンを提供することを目的とする。
【０００８】
【課題を解決するための手段】
上記課題を解決するために、請求項１記載の筐体用パッキンによれば、
箱部と蓋部とでなる筐体内部の収納空間部を外部環境から遮断密封するとき蓋部のパッキン取付用第１溝部と箱部のパッキン取付用第２溝部とで挟まれて変形した状態でパッキン取付用溝部の中に収納される筐体用パッキンであって、
前記筐体用パッキンの断面形状は、全体形状が略円形であってさらにこの略円形に対して凹部を２箇所に設けてパッキン取付用溝部の対向する２面にそれぞれの凹部を対向させる形状であり、２箇所の凹部の両側に突設する４個の突設部のうち２個の突設部が蓋部のパッキン取付用第１溝部内で接し、かつ、残りの２個の突設部が箱部のパッキン取付用第２溝部内で接するようにしたことを特徴とする。
【０００９】
また、請求項２記載の筐体用パッキンによれば、
請求項１に記載の筐体用パッキンにおいて、
前記筐体用パッキンは、パッキン取付用溝部内で４個の突設部が接するとともに変形して円の外周部の２カ所でも当接して計６箇所で当接して封止することを特徴とする。
【００１０】
また、請求項３記載の筐体用パッキンによれば、
箱部と蓋部とでなる筐体内部の収納空間部を外部環境から遮断密封するとき蓋部のパッキン取付用第１溝部と箱部のパッキン取付用第２溝部とで挟まれて変形した状態でパッキン取付用溝部の中に収納される筐体用パッキンであって、
前記筐体用パッキンの断面形状は、略円の外周部全面から、断面形状が略三角形状の突設部を複数突設させてなる形状であり、複数箇所の突設部がパッキン取付用溝部内で接するようにしたことを特徴とする。
【００１１】
また、請求項４記載の筐体用パッキンによれば、
箱部と蓋部とでなる筐体内部の収納空間部を外部環境から遮断密封するとき蓋部のパッキン取付用第１溝部と箱部のパッキン取付用第２溝部とで挟まれて変形した状態でパッキン取付用溝部の中に収納される筐体用パッキンであって、
前記筐体用パッキンの断面形状は、略円の外周部全面から、断面形状が略半円形状の突設部を複数突設させてなる形状であり、複数箇所の突設部がパッキン取付用溝部内で接するようにしたことを特徴とする。
【００１２】
【発明の実施の形態】
本発明の筐体用パッキンを用いることができる筐体の１例としてクロージャが挙げられる。このクロージャに関する本発明の１実施形態の筐体用パッキンを説明する。なお、説明上、筐体用パッキンをクロージャ用パッキンとして各種実施形態を説明する。まず、本発明の１実施形態のクロージャ用パッキンについて説明する。図１は、クロージャの構成を示す構成図であり、図１（ａ）は、クロージャの正面図、図１（ｂ）は、クロージャのＡ−Ａ線断面図である。図２は、図１（ｂ）のＡ部の拡大図であって本実施形態のクロージャ用パッキンを説明する側断面図であり、図２（ａ）は、２個のクロージャのパッキン取付用溝部に載置した本実施形態のクロージャ用パッキンの断面形状を示す側断面図、図２（ｂ）は、２個のクロージャを取付固定したときの本実施形態のクロージャ用パッキンの断面形状を示す側断面図、図２（ｃ）は、凹部により気密が破られた状態を模式的に説明するための側断面図である。
【００１３】
筐体であるクロージャは、箱部である箱クロージャと蓋部である蓋クロージャとを組み合わせて形成されるが、本実施形態では、蓋クロージャと箱クロージャは、それぞれ円筒状のスリーブを底面直径を通過する平面で半分に分割した半円筒形状の第１クロージャ１ａと第２クロージャ１ｂであるとして説明する。
【００１４】
クロージャ１は、第１クロージャ１ａおよび第２クロージャ１ｂとを組み合わせて構成される。図１（ａ）に示すように、半円筒状の第１クロージャ１ａおよび第２クロージャ１ｂとを組み合わせて完全円筒形状のスリーブとする。そしてこのスリーブであるクロージャ１を、複数個の締結部２，３，４，・・・により締結固定してクロージャ１を固定する。これら締結部は、具体的には、図１（ｂ）に示すように、締結バンド２ａを六角穴付きボルト２ｂにより締め付けることで固定するように構成されている。
【００１５】
このクロージャ１の内部には収納部５が設けられる。この収納部５に、図示しない通信ケーブルの接続部が配置される。さらに図示しない通信ケーブルは、図１（ａ）で見て左右両側に設けられる通信ケーブル用孔部６，７を通じて配線される。これら通信ケーブル用孔部６，７と図示しない通信用ケーブルとは、気密性を維持するように構成される。
【００１６】
このクロージャ１の収納部５の気密性を高めるため、図２（ａ）に示すように、第１クロージャ１ａのパッキン取付用第１溝部８ａおよび第２クロージャ１ｂのパッキン取付用第２溝部８ｂとにクロージャ用パッキン９が載置される。このクロージャ用パッキン９は、全体形状が略円形で２箇所に凹部を有する断面形状であって、４箇所の突設部１０ａ，１０ｂ，１０ｃ，１０ｄを備えている。このクロージャ用パッキン９は、ゴムまたは合成樹脂等の弾性体を材料として構成される。
【００１７】
図２（ｂ）に示すように、第１クロージャ１ａと第２クロージャ１ｂとが締結固定されてクロージャ１が形成されるとき、このクロージャ用パッキン９の４個の突設部１０ａ，１０ｂ，１０ｃ，１０ｄは、クロージャ１のパッキン取付用溝部８において、Ａ点、Ｂ点、Ｃ点およびＤ点の４点で接触し、収納部５の気密性を保つ。
【００１８】
このとき、パッキン取付用第１溝部８ａのＡ点およびＢ点において、突設部１０ａ，１０ｂが、また、パッキン取付用第２溝部８ｂのＣ点およびＤ点において、突設部１０ｃ，１０ｄが接する。このように、クロージャ用パッキン９により、第１クロージャ１ａ側と第２クロージャ１ｂ側とにおいて、それぞれ２点で密封されるので、気密性を高めることができる。
【００１９】
また、図２（ｃ）に示すように、第１クロージャ１ａのパッキン取付用第１溝部８ａおよび第２クロージャ１ｂのパッキン取付用第２溝部８ｂにおいて、傷などによる微細な凹部１１ａ，１１ｂや、プラスティック成形時に生じたバリなどによる図示しない微細な凸部があったとしても、気密を維持することが可能である。
【００２０】
例えば、パッキン取付用第１溝部８ａの凹部１１ａについては、２箇所の突設部１０ａおよび１０ｂが回避して接するので気密を維持し、また、パッキン取付用第２溝部８ｂの凹部１１ｂについては、一方の突設部１０ｄによる気密が破られたとしても他方の突設部１０ｃにより気密が維持される。このように、凹凸部があったとしてもクロージャの収納部の気密性を維持することができる。
【００２１】
更に、本実施形態の他の実施例について説明する。図３は、他の実施例のクロージャ用パッキンの構成を示す構成図であり、図３（ａ）および図３（ｂ）は、２個のクロージャを取付固定したときの本実施例のクロージャ用パッキンの断面形状を示す側断面図である。
【００２２】
図２（ａ）でも示したように形状自体は同一形状とするも、クロージャ用パッキン９、パッキン取付用第１溝部８ａおよびパッキン取付用第２溝部８ｂの各部寸法を調整し、図３（ａ）に示すようにＡ〜Ｆ点の６箇所で接するようにしてもよい。この場合、さらに気密性が増し、クロージャの信頼性を高めることができる。また、図３（ｂ）に示すように９０度回転させて配置しても、Ａ〜Ｆ点の６箇所で接し、同様に気密性を保つことができる。
【００２３】
次に、本発明の筐体用パッキンのうち第２実施形態のクロージャ用パッキンについて説明する。図４は、本実施形態のクロージャ用パッキンの構成を示す構成図であり、図４（ａ）は、２個のクロージャのパッキン取付用溝部に載置した本実施形態のクロージャ用パッキンの断面形状を示す側断面図、図４（ｂ）は、２個のクロージャを取付固定したときの本実施形態のクロージャ用パッキンの断面形状を示す側断面図である。なお、クロージャについては第１実施形態で説明したクロージャの構成と同一であるとしてその説明を省略する。
【００２４】
本実施形態のクロージャ用パッキン２０の平時の形状は、図４（ａ）に示すように、全体形状が略円形であって、かつ、略三角形状の複数突設部を有する断面形状である。クロージャ１によりクロージャ用パッキン２０が押圧されるとき、図４（ｂ）に示すように、このクロージャ用パッキン２０の複数の突設部は、クロージャ１のパッキン取付用溝部８において、複数箇所で接するため、気密性を維持することができる。
【００２５】
次に、本発明の第３実施形態のクロージャ用パッキンについて説明する。図５は、本実施形態のクロージャ用パッキンの構成を示す構成図であり、図５（ａ）は、２個のクロージャのパッキン取付用溝部に載置した本実施形態のクロージャ用パッキンの断面形状を示す側断面図、図５（ｂ）は、２個のクロージャを取付固定したときの本実施形態のクロージャ用パッキンの断面形状を示す側断面図である。なお、クロージャについては第１実施形態で説明したクロージャの構成と同一であるとしてその説明を省略する。
【００２６】
本実施形態のクロージャ用パッキン３０の平時の形状は、図５（ａ）に示すように、全体形状が略円形であって、かつ、略半円形状の複数突設部を有する断面形状である。クロージャ１によりクロージャ用パッキン３０が押圧されるとき、図５（ｂ）に示すように、このクロージャ用パッキン３０の複数の突設部は、クロージャ１のパッキン取付用溝部８において、複数箇所で接するため、気密性を維持することができる。
【００２７】
第２及び第３の実施形態で、第１クロージャ１ａのパッキン取付用第１溝部８ａおよび第２クロージャ１ｂのパッキン取付用第２溝部８ｂにおいては、それぞれ３箇所以上接するのでより気密性を高めることができる。
【００２８】
なお、第１〜第３実施形態では、筐体としてクロージャを挙げ、蓋部と箱部としてそれぞれ半円筒状の第１クロージャ１ａと第２クロージャ１ｂを用いるものとして説明した。しかしながら、例えば他の形状の蓋部と箱部を用いる他の筐体についても適用できる。
【００２９】
例えば、図示しないものの、箱部を直方体形状の箱体とし、蓋部を平板としても良い。このような筐体としては、通信ケーブルや光ファイバの接続部または余長部などを収納するクロージャや、架空送電線路に架設している架空地線に光ファイバを複合したケーブルである光ファイバ複合架空地線（ＯＰＧＷ）用に設けられたＯＰＧＷ光接続箱の筐体がある。また、箱部を底を有する円筒体とし、蓋部を円盤としても良い。このような筐体としては、伝送路から侵入する雷サージおよび誘導電圧から保護するための保安器の筐体がある。このように、クロージャに限ることなく気密性を要する各種筐体で本発明の筐体用パッキンを利用することができる。また、筐体の蓋部と箱部は、各種の形状を取ることができる。
【００３０】
【発明の効果】
以上、本発明によれば、筐体用のパッキン取付用溝部と筐体用パッキンとの接点を多くすることで、微細な凹凸部を回避するようにし、あるいは、微細な凹凸部によりある接点で密封が破られたとしても他の接点で気密を維持するようにし、その結果筐体内の収納部の気密性を高める筐体用パッキンを提供することができる。
【図面の簡単な説明】
【図１】クロージャの構成を示す構成図である。
【図２】本発明の第１実施形態のクロージャ用パッキンを説明する側断面図である。
【図３】本発明の第１実施形態のクロージャ用パッキンを説明する側断面図である。
【図４】本発明の第２一実施形態のクロージャ用パッキンを説明する側断面図である。
【図５】本発明の第３実施形態のクロージャ用パッキンを説明する側断面図である。
【図６】従来のクロージャ用パッキンを説明する側断面図である。
【符号の説明】
１                              クロージャ
１ａ                        第１クロージャ
１ｂ                        第２クロージャ
２，３，４                      締結部
２ａ                        締結バンド
２ｂ                        六角穴付きボルト
５                              収納部
６，７                          通信ケーブル用孔部
８                              パッキン取付用溝部
８ａ                        パッキン取付用第１溝部
８ｂ                        パッキン取付用第２溝部
９，２０，３０                  クロージャ用パッキン
１０ａ，１０ｂ，１０ｃ，１０ｄ  突設部
１１ａ，１１ｂ                  凹部
【図１】
0004289469.tif 000002
【図２】
0004289469.tif 000003
【図３】
0004289469.tif 000004
【図４】
0004289469.tif 000005
【図５】
0004289469.tif 000006
【図６】
0004289469.tif 000007